(57)【特許請求の範囲】
【請求項１】
光送信機から光伝送路を介して送信された光信号を受信して電気信号に変換する光回線終端装置であって、
表示手段と、
前記光送信機から前記光伝送路を介して送信された前記光信号を電気信号に変換する光電変換手段と、
前記光電変換手段にて変換された前記電気信号に基づいて、当該光回線終端装置における前記光信号の受信レベルを検出する検出手段と、
前記検出手段にて検出された前記光信号の受信レベルに対応する情報を前記表示手段に表示させる制御手段とを備え、
前記表示手段は発光するものであり、
前記制御手段は、
前記検出手段にて検出された前記光信号の受信レベルに対応する回数にて前記表示手段を点滅させ、
前記検出手段にて検出された前記光信号の受信レベルに応じた色で前記表示手段を点滅させ、
前記検出手段にて検出された前記光信号の受信レベルに基づいて重み付けされた色で前記表示手段を点滅させる、
光回線終端装置。
【請求項２】
光送信機から光伝送路を介して送信された光信号を受信して電気信号に変換する光回線終端装置であって、
表示手段と、
前記光送信機から前記光伝送路を介して送信された前記光信号を電気信号に変換する光電変換手段と、
前記光電変換手段にて変換された前記電気信号に基づいて、当該光回線終端装置における前記光信号の受信レベルを検出する検出手段と、
前記検出手段にて検出された前記光信号の受信レベルに対応する情報を前記表示手段に表示させる制御手段とを備え、
前記表示手段は、発光するものであって、複数の表示素子を備え、
前記制御手段は、
前記検出手段にて検出された前記光信号の受信レベルに対応する回数にて前記表示手段を点滅させ、
前記検出手段にて検出された前記光信号の受信レベルに応じた数の前記表示素子を点滅させる、
光回線終端装置。
【請求項３】
光送信機から光伝送路を介して送信された光信号を受信して電気信号に変換する光回線終端装置であって、
表示手段と、
前記光送信機から前記光伝送路を介して送信された前記光信号を電気信号に変換する光電変換手段と、
前記光電変換手段にて変換された前記電気信号に基づいて、当該光回線終端装置における前記光信号の受信レベルを検出する検出手段と、
前記検出手段にて検出された前記光信号の受信レベルに対応する情報を前記表示手段に表示させる制御手段とを備え、
前記表示手段は発光するものであり、
前記制御手段は、
前記検出手段にて検出された前記光信号の受信レベルに対応する回数にて前記表示手段を点滅させ、
前記制御手段が前記表示手段を複数回点滅させる場合に、最後の回の点滅を他の回の点滅とは異なる態様で点滅させる、
光回線終端装置。
【発明の詳細な説明】
【技術分野】
【０００１】
本発明は、光回線終端装置に関する。
【背景技術】
【０００２】
近年では、光通信技術の進展に伴い、光ケーブルを用いた光伝送システムが普及している。この光伝送システムによれば、数１０ｋｍ程度の無中継伝送が可能となるため、伝送システムを容易に広域化できる。この光伝送システムは、概略的には、送信者側に配置した光送信機と、受信者側に配置した光回線終端装置（ＯＮＵ：Ｏｐｔｉｃａｌ Ｎｅｔｗｏｒｋ Ｕｎｉｔ）とを、光ケーブルにて構成された光伝送路を介して接続して構成されている。そして、送信者側においてＴＶ信号や告知放送信号を混合し、この混合された電気信号を光送信機によって光信号に変換し、この光信号を光伝送路を介して光回線終端装置に送信する。この光回線終端装置では、光信号を電気信号（ＲＦ信号）に変換して、ＴＶ受像機や告知放送受信機に出力する（例えば特許文献１参照）。
【先行技術文献】
【特許文献】
【０００３】
【特許文献１】特開２００６−１７４２１１号公報
【発明の概要】
【発明が解決しようとする課題】
【０００４】
ここで、光回線終端装置を受信者側に設置する際、光送信機から光伝送路を介して光回線終端装置に入力される光信号のレベルを確認する必要があった。しかし、上述の如き従来の装置では、作業者は入力される光信号のレベルを確認することができなかったため、別途用意した光パワーメータを光伝送路に接続して光信号のレベルを計測しなければならず、作業が煩雑となっていた。また、光回線終端装置の設置後、メンテナンス等のために光信号のレベルを確認する際には、光伝送路から一旦光回線終端装置を取り外し、光パワーメータを光伝送路に接続して光信号のレベルを計測した後、再度光回線終端装置を光伝送路に接続する必要があり、作業コストを低減する余地があった。
【０００５】
本発明は、上記に鑑みてなされたものであって、光回線終端装置における光信号の受信レベルを容易に確認することができる、光回線終端装置を提供することを目的とする。
【課題を解決するための手段】
【０００６】
上述した課題を解決し、目的を達成するために、請求項１に記載の光回線終端装置は、光送信機から光伝送路を介して送信された光信号を受信して電気信号に変換する光回線終端装置であって、表示手段と、前記光送信機から前記光伝送路を介して送信された前記光信号を電気信号に変換する光電変換手段と、前記光電変換手段にて変換された前記電気信号に基づいて、当該光回線終端装置における前記光信号の受信レベルを検出する検出手段と、前記検出手段にて検出された前記光信号の受信レベルに対応する情報を前記表示手段に表示させる制御手段とを備え、前記表示手段は発光するものであり、前記制御手段は、前記検出手段にて検出された前記光信号の受信レベルに対応する回数にて前記表示手段を点滅させ、前記検出手段にて検出された前記光信号の受信レベルに応じた色で前記表示手段を点滅させ、前記検出手段にて検出された前記光信号の受信レベルに基づいて重み付けされた色で前記表示手段を点滅させる。
【０００７】
請求項２に記載の光回線終端装置は、光送信機から光伝送路を介して送信された光信号を受信して電気信号に変換する光回線終端装置であって、表示手段と、前記光送信機から前記光伝送路を介して送信された前記光信号を電気信号に変換する光電変換手段と、前記光電変換手段にて変換された前記電気信号に基づいて、当該光回線終端装置における前記光信号の受信レベルを検出する検出手段と、前記検出手段にて検出された前記光信号の受信レベルに対応する情報を前記表示手段に表示させる制御手段とを備え、前記表示手段は、発光するものであって、複数の表示素子を備え、前記制御手段は、前記検出手段にて検出された前記光信号の受信レベルに対応する回数にて前記表示手段を点滅させ、前記検出手段にて検出された前記光信号の受信レベルに応じた数の前記表示素子を点滅させる。
【０００８】
請求項３に記載の光回線終端装置は、光送信機から光伝送路を介して送信された光信号を受信して電気信号に変換する光回線終端装置であって、表示手段と、前記光送信機から前記光伝送路を介して送信された前記光信号を電気信号に変換する光電変換手段と、前記光電変換手段にて変換された前記電気信号に基づいて、当該光回線終端装置における前記光信号の受信レベルを検出する検出手段と、前記検出手段にて検出された前記光信号の受信レベルに対応する情報を前記表示手段に表示させる制御手段とを備え、前記表示手段は発光するものであり、前記制御手段は、前記検出手段にて検出された前記光信号の受信レベルに対応する回数にて前記表示手段を点滅させ、前記制御手段が前記表示手段を複数回点滅させる場合に、最後の回の点滅を他の回の点滅とは異なる態様で点滅させる。
【発明の効果】
【００１７】
請求項１に記載の光回線終端装置によれば、検出手段にて検出された光信号の受信レベルに対応する情報を表示手段に表示させるので、作業者は別途光パワーメータ等を用意することなく、光回線終端装置自体の表示手段を介して容易に光回線終端装置における光信号の受信レベルを確認することができ、光回線終端装置の設置作業を一層簡易にすることができる。また、光回線終端装置の設置後、メンテナンス等のために光信号のレベルを確認する際にも、光伝送路から光回線終端装置を取り外すことなく、光回線終端装置自体の表示手段を介して容易に光回線終端装置における光信号の受信レベルを確認することができ、作業コストを一層低減することができる。
また、検出手段にて検出された光信号の受信レベルに対応する回数にて表示手段を点滅させるので、簡易な方法で光信号の様々な受信レベルを表示手段に表示させることができる。また、作業者にとっても、表示手段の点滅回数を確認するだけで光信号の受信レベルを容易に確認することができる。
また、検出手段にて検出された光信号の受信レベルに応じた色で光信号の受信レベルに対応する表示手段を点滅等させるので、光信号の受信レベルを簡易かつ正確に表示させることができ、作業者は光回線終端装置における光信号の受信レベルを一層容易に確認することができる。
また、検出手段にて検出された光信号の受信レベルに基づいて重み付けされた色で表示手段を点滅等させるので、光信号の受信レベルを一層簡易かつ正確に表示させることができ、作業者は光回線終端装置における光信号の受信レベルをさらに一層容易に確認することができる。
【００１８】
請求項２に記載の光回線終端装置によれば、検出手段にて検出された光信号の受信レベルに対応する情報を表示手段に表示させるので、作業者は別途光パワーメータ等を用意することなく、光回線終端装置自体の表示手段を介して容易に光回線終端装置における光信号の受信レベルを確認することができ、光回線終端装置の設置作業を一層簡易にすることができる。また、光回線終端装置の設置後、メンテナンス等のために光信号のレベルを確認する際にも、光伝送路から光回線終端装置を取り外すことなく、光回線終端装置自体の表示手段を介して容易に光回線終端装置における光信号の受信レベルを確認することができ、作業コストを一層低減することができる。
また、検出手段にて検出された光信号の受信レベルに対応する回数にて表示手段を点滅させるので、簡易な方法で光信号の様々な受信レベルを表示手段に表示させることができる。また、作業者にとっても、表示手段の点滅回数を確認するだけで光信号の受信レベルを容易に確認することができる。
また、検出手段にて検出された光信号の受信レベルに応じた数の表示素子を点滅等させるので、光信号の受信レベルを簡易かつ正確に表示させることができ、作業者は光回線終端装置における光信号の受信レベルを一層容易に確認することができる。
【００１９】
請求項３に記載の光回線終端装置によれば、検出手段にて検出された光信号の受信レベルに対応する情報を表示手段に表示させるので、作業者は別途光パワーメータ等を用意することなく、光回線終端装置自体の表示手段を介して容易に光回線終端装置における光信号の受信レベルを確認することができ、光回線終端装置の設置作業を一層簡易にすることができる。また、光回線終端装置の設置後、メンテナンス等のために光信号のレベルを確認する際にも、光伝送路から光回線終端装置を取り外すことなく、光回線終端装置自体の表示手段を介して容易に光回線終端装置における光信号の受信レベルを確認することができ、作業コストを一層低減することができる。
また、検出手段にて検出された光信号の受信レベルに対応する回数にて表示手段を点滅させるので、簡易な方法で光信号の様々な受信レベルを表示手段に表示させることができる。また、作業者にとっても、表示手段の点滅回数を確認するだけで光信号の受信レベルを容易に確認することができる。
また、表示手段を複数回点滅させる場合に、最後の回の点滅を他の回の点滅とは異なる態様で表示手段を点滅させるので、最後の回の点滅であることを表示手段に識別可能に表示させることができ、作業者は表示手段の点滅が最後の回であることを容易に確認することができる。
【図面の簡単な説明】
【００２８】
【図１】実施の形態１に係る光回線終端装置を示す図であり、（ａ）は正面図、（ｂ）は底面図、（ｃ）は側面図である。
【図２】光回線終端装置の電気的構成を機能概念的に示したブロック図である。
【図３】光回線終端装置が実行する表示処理の概略例を示したフローチャートである。
【図４】実施の形態１に係る表示部による表示パターンを例示した図である。
【図５】表示部に表示される色と点滅１回あたりの重み付けとの関係を例示した図である。
【図６】実施の形態２に係る表示部による表示パターンを例示した図である。
【図７】実施の形態３に係る表示部による表示パターンを例示した図である。
【図８】実施の形態４に係る表示部による表示パターンを例示した図である。
【図９】実施の形態５に係る表示部による表示パターンを例示した図である。
【図１０】実施の形態６に係る表示部による表示パターンを例示した図である。
【図１１】実施の形態７に係る光回線終端装置が実行する表示処理の概略例を示したフローチャートである。
【図１２】実施の形態７に係る表示部による表示パターンを例示した図である。
【発明を実施するための形態】
【００２９】
以下に添付図面を参照して、この発明に係る光回線終端装置の各実施の形態を詳細に説明する。ただし、これら各実施の形態によって本発明が限定されるものではない。
【００３０】
〔実施の形態１〕
最初に、実施の形態１について説明する。この形態は、検出手段にて検出された光送信機の光信号の受信レベルに対応する回数にて表示手段を点滅させる形態である。
【００３１】
（構成）
まず、光回線終端装置の構成について説明する。図１は実施の形態１に係る光回線終端装置を示す図であり、（ａ）は正面図、（ｂ）は底面図、（ｃ）は側面図である。なお、以下の説明においては、図１のＸ方向を左右方向、図１のＹ方向を上下方向、図１のＺ方向を前後方向とする。また図２は、光回線終端装置１の電気的構成を機能概念的に示したブロック図である。
【００３２】
光回線終端装置１は、図１に示す筐体１０の内部に、図２に示すＰＤ（Ｐｈｏｔｏ  Ｄｉｏｄｅ）２０、増幅部３０、出力端子４０、表示部５０、スピーカ６０、及び制御部７０を備えている。
【００３３】
（構成−筐体）
筐体１０は、光回線終端装置１の構造体であり、ＰＤ２０、増幅部３０、出力端子４０、表示部５０、スピーカ６０、及び制御部７０を外部から保護する保護手段である。この筐体１０は、図１に示すように、一側面を開放した略箱形状のベース部１１と、このベース部１１をその開放面側から略覆うカバー部１２とを備えて構成されており、カバー部１２はその上端部近傍位置においてベース部１１に対して回動自在に軸支されている。カバー部１２を閉じてベース部１１を略覆った状態において、これらベース部１１とカバー部１２との対向位置には一対の引き込み口１３が形成され、この引き込み口１３を介して、光ファイバ（図示省略）を筐体１０の内部に引込むことができ、あるいは、筐体１０の内部から外部に光ファイバを引き出すことができる。また、引き込み口１３の側方には、一対の端子孔１４が形成されており、この端子孔１４を介して、出力端子４０（例えば、テレビ信号出力端子や同軸コネクタ等）が筐体１０の外部に露出され、この出力端子４０に信号ケーブル（以下、同軸ケーブル）（図示省略）を接続することができる。
【００３４】
（構成−ＰＤ）
図２において、ＰＤ２０は、光送信機（図示省略）から光伝送路（図示省略）を介して送信された光信号を電気信号（以下「ＲＦ信号」）に変換する光電変換手段である。ＰＤ２０は、ＲＦ信号を増幅部３０及び制御部７０に出力する。
【００３５】
（構成−増幅部）
増幅部３０は、ＰＤ２０から出力されたＲＦ信号を増幅する増幅手段であり、例えば公知のＡＧＣ（Ａｕｔｏｍａｔｉｃ  Ｇａｉｎ  Ｃｏｎｔｒｏｌ）回路を用いて構成され、制御部７０によって制御される。
【００３６】
（構成−出力端子）
出力端子４０は、増幅部３０にて増幅されたＲＦ信号を光回線終端装置１の外部機器（例えばセットトップボックス）に出力する。
【００３７】
（構成−表示部）
表示部５０は、制御部７０による制御に基づき情報を表示する表示手段である。この表示部５０としては、例えばＬＥＤ（Ｌｉｇｈｔ  Ｅｍｉｔｔｉｎｇ  Ｄｉｏｄｅ）を用いることができる。この表示部５０は、図１（ｂ）に示すように、例えば筐体１０の下面に外部から視認可能に配置されている。実施の形態１では、この表示部５０として、光回線終端装置１の電源のＯＮ／ＯＦＦを示すＬＥＤ５１（図１（ｂ）における「ＰＷＲ」）、ＲＦ信号の出力状態を示すＬＥＤ５２（図１（ｂ）における「ＲＦ」）、及び光信号の受信状態を示すＬＥＤ５３（図１（ｂ）における「ＯＰＴ」）が設けられているものとする。
【００３８】
（構成−スピーカ）
図２に戻り、スピーカ６０は、制御部７０による制御に基づき警報音を出力する警報手段であり、例えば公知のスピーカを用いることができる。
【００３９】
（構成−制御部）
制御部７０は、光回線終端装置１の各部を制御する制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。
【００４０】
この制御部７０は、機能概念的に、検出部７１、及び出力制御部７２を備えている。検出部７１は、光回線終端装置１における光信号の受信レベルを検出する検出手段である。出力制御部７２は、表示部５０及びスピーカ６０を制御する制御手段である。これらの制御部７０の各構成要素によって実行される処理の詳細については後述する。
【００４１】
（処理）
次に、上述のように構成された光回線終端装置１が実行する処理について説明する。図３は、光回線終端装置１が実行する表示処理の概略例を示したフローチャートである（以下の各処理の説明ではステップを「Ｓ」と略記する）。この処理は、例えば、光回線終端装置１に電源が投入された場合に起動される。
【００４２】
表示処理が起動されると、出力制御部７２は、検出部７１にて検出された光信号の受信レベルに対応する情報を表示部５０に表示させるべきタイミングか否かを判定する（ＳＡ１）。例えば、光回線終端装置１に電源が投入された後に最初に当該判定を行う場合や、ＰＤ２０からＲＦ信号が出力されていなかった状態から初めてＲＦ信号が出力された場合、あるいは公知の操作手段（図示省略）を介して光信号の受信レベルを表示させる旨の指示入力が行われた場合、カバー部１２の開放を検出するスイッチを設けてカバー部１２の開放を検出した場合に、出力制御部７２は、検出部７１にて検出された光信号の受信レベルに対応する情報を表示部５０に表示させるべきタイミングであると判定する。
【００４３】
ＳＡ１の結果、検出部７１にて検出された光信号の受信レベルに対応する情報を表示部５０に表示させるべきタイミングであると判定した場合（ＳＡ１、Ｙｅｓ）、検出部７１は、ＰＤ２０にて変換されたＲＦ信号に基づいて、光回線終端装置１における光信号の受信レベルを検出する（ＳＡ２）。例えば検出部７１は、ＰＤ２０から出力されたＲＦ信号の電圧をＡ／Ｄ変換し、そのＡ／Ｄ変換値によって光信号の受信レベルを検出する。
【００４４】
続いて出力制御部７２は、ＳＡ２で検出部７１にて検出された光信号の受信レベルが所定の閾値以上か否かを判定する（ＳＡ３）。例えば、ＴＶ信号を含む光信号がＰＤ２０にて受信された場合、このＴＶ信号に基づきＴＶ受像機に映像を表示可能な最小受信レベル（例えば、−２０ｄＢｍ）を所定の閾値とする。
【００４５】
その結果、検出部７１にて検出された光信号の受信レベルが所定の閾値以上であった場合（ＳＡ３、Ｙｅｓ）、出力制御部７２は、ＳＡ２で検出部７１にて検出された光信号の受信レベルに対応する情報を表示部５０に表示させる（ＳＡ４）。光信号の受信レベルに対応する情報を表示させる表示部５０としては、例えば図１（ｂ）における「ＯＰＴ」のＬＥＤ５３を用いる。
【００４６】
図４は、実施の形態１に係る表示部５０による表示パターンを例示した図である。この図４に示すように、例えば出力制御部７２は、検出部７１にて検出された光信号の受信レベルに対応する回数にて「ＯＰＴ」のＬＥＤ５３を点滅等させる。すなわち例えば、受信レベルＳが−８ｄＢｍ未満の場合には「ＯＰＴ」のＬＥＤ５３を消灯させる。また、受信レベルＳが−８ｄＢｍ以上−７ｄＢｍ未満の場合には「ＯＰＴ」のＬＥＤ５３を所定周期にて６回点滅させた後、点灯させる。また、受信レベルＳが−７ｄＢｍ以上−６ｄＢｍ未満の場合には「ＯＰＴ」のＬＥＤ５３を所定周期にて５回点滅させた後、点灯させる。また、受信レベルＳが−６ｄＢｍ以上−５ｄＢｍ未満の場合には「ＯＰＴ」のＬＥＤ５３を所定周期にて４回点滅させた後、点灯させる。また、受信レベルＳが−５ｄＢｍ以上−４ｄＢｍ未満の場合には「ＯＰＴ」のＬＥＤ５３を所定周期にて３回点滅させた後、点灯させる。また、受信レベルＳが−４ｄＢｍ以上−３ｄＢｍ未満の場合には「ＯＰＴ」のＬＥＤ５３を所定周期にて２回点滅させた後、点灯させる。また、受信レベルＳが−３ｄＢｍ以上−２ｄＢｍ未満の場合には「ＯＰＴ」のＬＥＤ５３を所定周期にて１回点滅させた後、点灯させる。また、受信レベルＳが−２ｄＢｍ以上−１ｄＢｍ未満の場合には「ＯＰＴ」のＬＥＤ５３を点灯させる。また、受信レベルＳが−１ｄＢｍ以上の場合には、「ＯＰＴ」のＬＥＤ５３を上述の所定周期の倍の周期にて１２回点滅させた後、点灯させる。このように、受信レベルに対応する回数にて「ＯＰＴ」のＬＥＤ５３を点滅等させることにより、作業者は光回線終端装置１における光信号の受信レベルを容易に確認することができる。
【００４７】
図３に戻り、ＳＡ３において、検出部７１にて検出された光信号の受信レベルが所定の閾値以上ではなかった場合（所定の閾値未満であった場合）（ＳＡ３、Ｎｏ）、出力制御部７２は、光信号の受信レベルが所定の閾値未満である旨を示す情報を表示部５０に表示させる（ＳＡ５）。例えば、出力制御部７２は、「ＯＰＴ」のＬＥＤ５３を所定周期にて３回点滅させ、その後所定時間点灯させる動作を、一定時間繰り返す。
【００４８】
さらに出力制御部７２は、スピーカ６０から警報音を出力させる（ＳＡ６）。警報音としては、例えばブザー音を出力させたり、あるいはメモリ等に予め記憶されている音声（例えば「光信号の受信レベルが閾値未満です」等）を出力させる。
【００４９】
また、ＳＡ１において、検出部７１にて検出された光信号の受信レベルに対応する情報を表示部５０に表示させるべきタイミングではないと判定した場合（ＳＡ１、Ｎｏ）、出力制御部７２は光回線終端装置１の状態に関する情報を表示部５０に表示させるべきタイミングであるものとし、光回線終端装置１の状態に関する情報を表示部５０に表示させる（ＳＡ７）。例えば、出力制御部７２は、光信号の受信レベルが所定の閾値（例えば、ＴＶ信号を含む光信号がＰＤ２０にて受信された場合、このＴＶ信号に基づきＴＶ受像機に映像を表示可能な最小受信レベル（例えば、−２０ｄＢｍ））未満である場合には図１（ｂ）における「ＯＰＴ」のＬＥＤ５３を消灯させ、光信号の受信レベルが所定の閾値以上である場合には「ＯＰＴ」のＬＥＤ５３を点灯させる。また、表示処理を実行する前提として、光回線終端装置１の電源の状態はＯＮであるので、図１（ｂ）における「ＰＷＲ」のＬＥＤ５１を点灯させる。また、ＲＦ信号が出力端子４０から出力されている場合には「ＲＦ」のＬＥＤ５２を点灯させ、ＲＦ信号が出力端子４０から出力されていない場合には「ＲＦ」のＬＥＤ５２を消灯させる。
【００５０】
ＳＡ４、ＳＡ６、又はＳＡ７の処理を実行した後、出力制御部７２はＳＡ１に戻る。
【００５１】
（効果）
このように実施の形態１によれば、検出部７１にて検出された光信号の受信レベルに対応する情報を表示部５０に表示させるので、作業者は別途光パワーメータ等を用意することなく、光回線終端装置１自体の表示部５０を介して容易に光回線終端装置１における光信号の受信レベルを確認することができ、光回線終端装置１の設置作業を一層簡易にすることができる。また、光回線終端装置１の設置後、メンテナンス等のために光信号のレベルを確認する際にも、光伝送路から光回線終端装置１を取り外すことなく、光回線終端装置１自体の表示部５０を介して容易に光回線終端装置１における光信号の受信レベルを確認することができ、作業コストを一層低減することができる。
【００５２】
特に、検出部７１にて検出された光信号の受信レベルに対応する回数にて表示部５０を点滅させるので、簡易な方法で光信号の様々な受信レベルを表示部５０に表示させることができる。また、作業者にとっても、表示部５０の点滅回数を確認するだけで光信号の受信レベルを容易に確認することができる。
【００５３】
また、検出部７１にて検出された光信号の受信レベルに対応する情報を表示部５０に表示させるべきタイミングの場合、光信号の受信レベルに対応する情報を表示部５０に表示させ、光回線終端装置１の状態に関する情報を表示部５０に表示させるべきタイミングの場合、光回線終端装置１の状態に関する情報を表示部５０に表示させるので、光信号の受信レベルに対応する情報、及び光回線終端装置１の状態に関する情報を、タイミングに応じて共通の表示部５０（上述の実施の形態では「ＯＰＴ」のＬＥＤ５３）に表示させることができる。従って、光信号の受信レベルに対応する情報を表示するための表示部５０を別途設ける必要がなく、光回線終端装置１の構成の複雑化を防止できる。
【００５４】
また、検出部７１にて検出された光信号の受信レベルが所定の閾値未満である場合に、当該光信号の受信レベルが所定の閾値未満である旨を示す情報を表示部５０に表示させるので、上述の効果に加えて、例えば光信号がＴＶ信号を含む場合において、ＴＶ信号に基づきＴＶ受像機に映像を表示可能な最小受信レベルに光信号の受信レベルが達していない旨等を利用者に報知することができる。
【００５５】
また、検出部７１にて検出された光信号の受信レベルが所定の閾値未満である場合に、スピーカ６０から警報音を出力させるので、上述の効果に加えて、例えば光信号がＴＶ信号を含む場合において、ＴＶ信号に基づきＴＶ受像機に映像を表示可能な最小受信レベルに光信号の受信レベルが達していない旨等を利用者に報知することができる。
【００５６】
〔実施の形態２〕
次に、実施の形態２について説明する。この形態は、検出手段にて検出された光信号の受信レベルに基づいて重み付けされた色で表示手段を点滅させる形態である。なお、実施の形態２の構成は、特記する場合を除いて、実施の形態１の構成と略同一であり、実施の形態１の構成と略同一の構成についてはこの実施の形態１で用いたものと同一の符号及び／又は名称を必要に応じて付して、その説明を省略する。
【００５７】
（構成−表示部）
まず、実施の形態２に係る光回線終端装置１の構成について説明する。表示部５０は、検出部にて検出された光信号の受信レベルに応じた表示態様で表示できるものであり、例えば３色ＬＥＤ（例えば緑、橙、又は赤で発光するＬＥＤ等）を用いて構成されている。
【００５８】
（処理）
次に、上述のように構成された実施の形態２に係る光回線終端装置１が実行する処理について説明する。この実施の形態２に係る光回線終端装置１が実行する表示処理のフローチャートは、特記する場合を除いて、図３に示す実施の形態１に係るフローチャートと略同一である。ここで、この表示処理におけるＳＡ１−ＳＡ２、ＳＡ５−ＳＡ７は、図３に示した実施の形態１の処理のＳＡ１−ＳＡ２、ＳＡ５−ＳＡ７と同じであるため、その説明を省略する。
【００５９】
ＳＡ３の処理にて、検出部７１にて検出された光信号の受信レベルが所定の閾値以上であった場合（ＳＡ３、Ｙｅｓ）、出力制御部７２は、ＳＡ２で検出部７１にて検出された光信号の受信レベルに対応する情報を表示部５０に表示させる（ＳＡ４）。
【００６０】
図５は、表示部５０に表示される色と点滅１回あたりの重み付けとの関係を例示した図である。また、図６は、実施の形態２に係る表示部５０による表示パターンを例示した図である。この図６に示すように、例えば出力制御部７２は、検出部７１にて検出された光信号の受信レベルに基づいて重み付けされた色で「ＯＰＴ」のＬＥＤ５３を点滅等させる。ここで、「光信号の受信レベルに基づいて重み付けされた色で・・・点滅させる」とは、表示部５０の１回当りの点滅によって示される光信号の受信レベルを、当該点滅を行う色によって変えることを意味している。具体的には、図５に示すように、表示部５０における緑色のＬＥＤの１回当りの点滅は、光信号の最小単位の受信レベル（ここでは、実施の形態１における表示部５０の１回当りの点滅によって示される受信レベルと同じ）、表示部５０における橙色のＬＥＤの１回当りの点滅は、光信号の最小単位の受信レベルの３倍、表示部５０における赤色のＬＥＤの１回当りの点滅は、光信号の最小単位の受信レベルの５倍を示す。換言すると、表示部５０における橙色のＬＥＤの１回当りの点滅は、表示部５０における緑色のＬＥＤの３回当りの点滅と同じ受信レベルを示し、表示部５０における赤色のＬＥＤの１回当りの点滅は、表示部５０における緑色のＬＥＤの５回当りの点滅と同じ受信レベルを示す。
【００６１】
具体的には、図６に示すように、受信レベルＳが−８ｄＢｍ未満の場合には「ＯＰＴ」のＬＥＤ５３を消灯させる。また、受信レベルＳが−８ｄＢｍ以上−７ｄＢｍ未満の場合には、実施の形態１では「ＯＰＴ」のＬＥＤ５３を所定周期にて６回点滅させた後、点灯させていたのに対して、ここでは「ＯＰＴ」のＬＥＤ５３を所定周期にて２回点滅（赤１回、緑１回）させた後、点灯（緑）させる（このように、赤１回＋緑１回の点滅は、緑５６回の点滅と同じ受信レベルを表す）。以降同様に、受信レベルＳが−７ｄＢｍ以上−６ｄＢｍ未満の場合には「ＯＰＴ」のＬＥＤ５３を所定周期にて１回点滅（赤）させた後、点灯（緑）させる。また、受信レベルＳが−６ｄＢｍ以上−５ｄＢｍ未満の場合には「ＯＰＴ」のＬＥＤ５３を所定周期にて２回点滅（橙１回、緑１回）させた後、点灯（緑）させる。また、受信レベルＳが−５ｄＢｍ以上−４ｄＢｍ未満の場合には「ＯＰＴ」のＬＥＤ５３を所定周期にて１回点滅（橙）させた後、点灯（緑）させる。また、受信レベルＳが−４ｄＢｍ以上−３ｄＢｍ未満の場合には「ＯＰＴ」のＬＥＤ５３を所定周期にて２回点滅（緑）させた後、点灯（緑）させる。また、受信レベルＳが−３ｄＢｍ以上−２ｄＢｍ未満の場合には「ＯＰＴ」のＬＥＤ５３を所定周期にて１回点滅（緑）させた後、点灯（緑）させる。また、受信レベルＳが−２ｄＢｍ以上−１ｄＢｍ未満の場合には「ＯＰＴ」のＬＥＤ５３を点灯（緑）させる。また、受信レベルＳが−１ｄＢｍ以上の場合には、「ＯＰＴ」のＬＥＤ５３を上述の所定周期の倍の周期にて１２回点滅（緑）させた後、点灯（緑）させる。このように、検出部７１にて検出された光信号の受信レベルに基づいて重み付けされた色で、受信レベルに対応する「ＯＰＴ」のＬＥＤ５３を点滅等させることにより、作業者は光回線終端装置１における光信号の受信レベルを一層容易に確認することができる。
【００６２】
（効果）
このように実施の形態２によれば、検出部７１にて検出された光信号の受信レベルに基づいて重み付けされた色で、表示部５０を点滅等させるので、光信号の受信レベルを簡易かつ正確に表示させることができ、作業者は光回線終端装置１における光信号の受信レベルを一層容易に確認することができる。
【００６３】
〔実施の形態３〕
次に、実施の形態３について説明する。この形態は、検出手段にて検出された光信号の受信レベルが所定の閾値以上の場合に、光信号の受信レベルの状態に応じた色で表示手段を点滅させる形態である。なお、実施の形態３の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００６４】
（処理）
次に、上述のように構成された実施の形態３に係る光回線終端装置１が実行する処理について説明する。この実施の形態３に係る光回線終端装置１が実行する表示処理のフローチャートは、特記する場合を除いて、図１に示す実施の形態１に係るフローチャートと略同一である。ここで、この表示処理におけるＳＡ１−ＳＡ２、ＳＡ５−ＳＡ７は、図３に示した実施の形態１の処理のＳＡ１−ＳＡ２、ＳＡ５−ＳＡ７と同じであるため、その説明を省略する。
【００６５】
ＳＡ２の処理後、検出部７１にて検出された光信号の受信レベルが所定の閾値以上であった場合（ＳＡ３、Ｙｅｓ）、出力制御部７２は、ＳＡ２で検出部７１にて検出された光信号の受信レベルに対応する情報を表示部５０に表示させる（ＳＡ４）。
【００６６】
図７は、実施の形態３に係る表示部５０による表示パターンを例示した図である。図７に示すように、出力制御部７２は、検出部７１にて検出された光信号の受信レベルの状態（ここでは、受信レベルの区分と称する）に応じた色で「ＯＰＴ」のＬＥＤ５３を点滅等させる。ここで、「光信号の受信レベルの区分に応じた色」とは、光信号の受信レベルの区分毎に設定された色を意味し、例えば、受信レベルの区分（ここでは３つの区分）のうち、低レベルの区分（例えば、受信レベルが−６ｄＢｍ未満）を示す赤、中レベルの区分（例えば、受信レベルが−６ｄＢｍ以上−３ｄＢｍ未満）を示す橙、高レベルの区分（例えば、受信レベルが−３ｄＢｍ以上）を示す緑等が該当する。
【００６７】
具体的には、図７に示すように、受信レベルＳが−８ｄＢｍ未満の場合には「ＯＰＴ」のＬＥＤ５３を所定周期にて３回点滅（赤）させた後、点灯（緑）させる。また、受信レベルＳが−８ｄＢｍ以上−７ｄＢｍ未満の場合には「ＯＰＴ」のＬＥＤ５３を所定周期にて２回点滅（赤）させた後、点灯（緑）させる。また、受信レベルＳが−７ｄＢｍ以上−６ｄＢｍ未満の場合には「ＯＰＴ」のＬＥＤ５３を所定周期にて１回点滅（赤）させた後、点灯（緑）させる。また、受信レベルＳが−６ｄＢｍ以上−５ｄＢｍ未満の場合には「ＯＰＴ」のＬＥＤ５３を所定周期にて３回点滅（橙）させた後、点灯（緑）させる。また、受信レベルＳが−５ｄＢｍ以上−４ｄＢｍ未満の場合には「ＯＰＴ」のＬＥＤ５３を所定周期にて２回点滅（橙）させた後、点灯（緑）させる。また、受信レベルＳが−４ｄＢｍ以上−３ｄＢｍ未満の場合には「ＯＰＴ」のＬＥＤ５３を所定周期にて１回点滅（橙）させた後、点灯（緑）させる。また、受信レベルＳが−３ｄＢｍ以上−２ｄＢｍ未満の場合には「ＯＰＴ」のＬＥＤ５３を所定周期にて３回点滅（緑）させた後、点灯（緑）させる。また、受信レベルＳが−２ｄＢｍ以上−１ｄＢｍ未満の場合には「ＯＰＴ」のＬＥＤ５３を所定周期にて２回点滅（緑）させた後、点灯（緑）させる。また、受信レベルＳが−１ｄＢｍ以上の場合には、「ＯＰＴ」のＬＥＤ５３を所定周期にて１回点滅（緑）させた後、点灯（緑）させる。このように、検出部７１にて検出された光信号の受信レベルの区分に応じた色で表示部５０を点滅させることにより、作業者は光回線終端装置１における光信号の受信レベル及び当該光信号の受信レベルの区分を容易に確認することができる。
【００６８】
（効果）
このように実施の形態３によれば、検出部７１にて検出された光信号の受信レベルの区分に応じた色で表示部５０を点滅させるので、光信号の受信レベルと同時に、光信号の受信レベルの区分も表示部５０に表示させることができ、作業者は光回線終端装置１における光信号の受信レベル及び受信レベルの区分を容易に確認することができる。
【００６９】
〔実施の形態４〕
次に、実施の形態４について説明する。この形態は、検出手段にて検出された光信号の受信レベルが所定の閾値以上の場合に、光信号の受信レベルの状態に応じた表示手段を点滅させる形態である。なお、実施の形態４の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００７０】
（処理）
次に、上述のように構成された実施の形態４に係る光回線終端装置１が実行する処理について説明する。この実施の形態４に係る光回線終端装置１が実行する表示処理のフローチャートは、特記する場合を除いて、図３に示す実施の形態１に係るフローチャートと略同一である。ここで、この表示処理におけるＳＡ１−ＳＡ２、ＳＡ５−ＳＡ７は、図３に示した実施の形態１の処理のＳＡ１−ＳＡ２、ＳＡ５−ＳＡ７と同じであるため、その説明を省略する。
【００７１】
ＳＡ２の処理後、検出部７１にて検出された光信号の受信レベルが所定の閾値以上であった場合（ＳＡ３、Ｙｅｓ）、出力制御部７２は、ＳＡ２で検出部７１にて検出された光信号の受信レベルに対応する情報を表示部５０に表示させる（ＳＡ４）。
【００７２】
図８は、実施の形態４に係る表示部５０による表示パターンを例示した図である。図８に示すように、出力制御部７２は、検出部７１にて検出された光信号の受信レベルの状態（ここでは、受信レベルの区分と称する）に応じた表示部５０を点滅させる。ここで、「光信号の受信レベルの区分に応じた表示部」とは、光信号の受信レベルの区分毎に設定されたものであって、表示部５０を構成する３つのＬＥＤうちの１つのＬＥＤを意味する。例えば、受信レベルの区分（ここでは３つの区分）のうち、低レベルの区分（例えば、受信レベルが−６ｄＢｍ未満）を示す「ＯＰＴ」のＬＥＤ５３、中レベルの区分（例えば、受信レベルが−６ｄＢｍ以上−３ｄＢｍ未満）を示す「ＲＦ」のＬＥＤ５２、高レベルの区分（例えば、受信レベルが−３ｄＢｍ以上）を示す「ＰＷＲ」のＬＥＤ５１等が該当する。
【００７３】
具体的には、図８に示すように、受信レベルＳが−８ｄＢｍ未満の場合には「ＯＰＴ」のＬＥＤ５３を所定周期にて３回点滅させた後、点灯させる。また、受信レベルＳが−８ｄＢｍ以上−７ｄＢｍ未満の場合には「ＯＰＴ」のＬＥＤ５３を所定周期にて２回点滅させた後、点灯させる。また、受信レベルＳが−７ｄＢｍ以上−６ｄＢｍ未満の場合には「ＯＰＴ」のＬＥＤ５３を所定周期にて１回点滅させた後、点灯させる。また、受信レベルＳが−６ｄＢｍ以上−５ｄＢｍ未満の場合には「ＲＦ」のＬＥＤ５２を所定周期にて３回点滅させた後、点灯させる。また、受信レベルＳが−５ｄＢｍ以上−４ｄＢｍ未満の場合には「ＲＦ」のＬＥＤ５２を所定周期にて２回点滅させた後、点灯させる。また、受信レベルＳが−４ｄＢｍ以上−３ｄＢｍ未満の場合には「ＲＦ」のＬＥＤ５２を所定周期にて１回点滅させた後、点灯させる。また、受信レベルＳが−３ｄＢｍ以上−２ｄＢｍ未満の場合には「ＰＷＲ」のＬＥＤ５１を所定周期にて３回点滅させた後、点灯させる。また、受信レベルＳが−２ｄＢｍ以上−１ｄＢｍ未満の場合には「ＰＷＲ」のＬＥＤ５１を所定周期にて２回点滅させた後、点灯させる。また、受信レベルＳが−１ｄＢｍ以上の場合には、「ＰＷＲ」のＬＥＤ５１を所定周期にて１回点滅させた後、点灯させる。このように、検出部７１にて検出された光信号の受信レベルの区分に応じた表示部５０を点滅等させることにより、作業者は光回線終端装置１における光信号の受信レベル及び光信号の受信レベルの区分を容易に確認することができる。
【００７４】
（効果）
このように実施の形態４によれば、検出部７１にて検出された光信号の受信レベルの区分に応じた表示部５０を点滅等させるので、光信号の受信レベルと同時に、光信号の受信レベルの区分も表示部５０に表示させることができ、作業者は光回線終端装置１における光信号の受信レベル及び光信号の受信レベルの区分を容易に確認することができる。
【００７５】
〔実施の形態５〕
次に、実施の形態５について説明する。この形態は、検出手段にて検出された光信号の受信レベルの状態に応じた態様で表示手段を点滅させる形態である。なお、実施の形態５の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００７６】
（処理）
次に、上述のように構成された実施の形態５に係る光回線終端装置１が実行する処理について説明する。この実施の形態５に係る光回線終端装置１が実行する表示処理のフローチャートは、特記する場合を除いて、図３に示す実施の形態１に係るフローチャートと略同一である。ただし、この表示処理においては、ＳＡ３、ＳＡ５−ＳＡ６の処理が行われないものとする。なお、この表示処理におけるＳＡ１−ＳＡ２は、図３に示した実施の形態１の処理のＳＡ１−ＳＡ２と同じであるため、その説明を省略する。
【００７７】
ＳＡ２の処理後、出力制御部７２は、ＳＡ２で検出部７１にて検出された光信号の受信レベルに対応する情報を表示部５０に表示させる（ＳＡ４）。
【００７８】
図９は、実施の形態５に係る表示部５０による表示パターンを例示した図である。図９に示すように、例えば出力制御部７２は、検出部７１にて検出された光信号の受信レベルの状態に応じた態様で「ＯＰＴ」のＬＥＤ５３を点滅等させる。ここで、「光信号の受信レベルの状態に応じた態様」とは、光信号の受信レベルの状態毎に設定された色、表示部５０の場所等を意味する（ここでは、色について説明する）。例えば、光信号の受信レベルの状態（例えば、受信レベルが−２０ｄＢｍ未満）が過小であることを示す橙、光信号の受信レベルの状態が適正（例えば、受信レベルが−２０ｄＢｍ以上−１ｄＢｍ未満）であることを示す緑、光信号の受信レベルの状態が過大（例えば、受信レベルが−１ｄＢｍ以上）であることを示す赤等が該当する。
【００７９】
具体的には、図９に示すように、光信号の受信レベルが１ｄＢｍ変動するごとに点滅回数を１つずつ変動させながら、光信号の受信レベルの状態に応じた色で「ＯＰＴ」のＬＥＤ５３を点滅させる。すなわち、光信号の受信レベルの状態が過小の場合において、受信レベルＳが−２１ｄＢｍ以上−２０ｄＢｍ未満の場合には「ＯＰＴ」のＬＥＤ５３を所定周期にて１回点滅（橙）させた後、点灯（緑）させる。そして、受信レベルＳが−２１ｄＢｍ未満の場合には受信レベルＳが１ｄＢｍ下がる毎に点滅回数を１つずつ増やしながら、「ＯＰＴ」のＬＥＤ５３を所定周期にて所定回数点滅（橙）させた後、点灯（緑）させる（図９では、光信号の受信レベルの状態が過小の場合の範囲に関しては、上述した受信レベルＳが−２１ｄＢｍ以上−２０ｄＢｍ未満の場合と、受信レベルＳが−２５ｄＢｍ以上−２４ｄＢｍ未満の場合のみについて、点滅パターンを例示し、他の場合については図示を省略する）。
【００８０】
また、光信号の受信レベルの状態が適正の場合において、受信レベルＳが−２ｄＢｍ以上−１ｄＢｍ未満の場合には「ＯＰＴ」のＬＥＤ５３を所定周期にて１回点滅（緑）させた後、点灯（緑）させる。そして、受信レベルＳが−２０ｄＢｍ以上−２ｄＢｍ未満の場合には受信レベルＳが１ｄＢｍ下がる毎に点滅回数を１つずつ増やしながら、「ＯＰＴ」のＬＥＤ５３を所定周期にて所定回数点滅（緑）させた後、点灯（緑）させる（図９では、光信号の受信レベルの状態が適正の場合の範囲に関しては、上述した受信レベルＳが−２ｄＢｍ以上−１ｄＢｍ未満の場合と、受信レベルＳが−６ｄＢｍ以上−５ｄＢｍ未満の場合と、受信レベルＳが−２０ｄＢｍ以上−１９ｄＢｍ未満の場合のみについて、点滅パターンを例示し、他の場合については図示を省略する）。
【００８１】
また、光信号の受信レベルの状態が過大の場合において、受信レベルＳが−１ｄＢｍ以上０ｄＢｍ未満の場合には「ＯＰＴ」のＬＥＤ５３を所定周期にて１回点滅（赤）させた後、点灯（緑）させる。そして、受信レベルＳが０ｄＢｍ以上の場合には受信レベルＳが１ｄＢｍ上がる毎に点滅回数を１つずつ増やしながら、「ＯＰＴ」のＬＥＤ５３を所定周期にて所定回数点滅（赤）させた後、点灯（緑）させる（図９では、光信号の受信レベルの状態が過大の場合の範囲に関しては、上述した受信レベルＳが−１ｄＢｍ以上０ｄＢｍ未満の場合と、受信レベルＳが３ｄＢｍ以上４ｄＢｍ未満の場合のみについて、点滅パターンを例示し、他の場合については図示を省略する）。
【００８２】
このように、検出部７１にて検出された光信号の受信レベルの状態に応じた色で「ＯＰＴ」のＬＥＤ５３を点滅等させることにより、作業者は光回線終端装置１における光信号の受信レベル及び光信号の受信レベルの状態を容易に確認することができる。
【００８３】
（効果）
このように実施の形態５によれば、検出部７１にて検出された光信号の受信レベルの状態に応じた色で表示部５０を点滅等させるので、光信号の受信レベルと同時に、光信号の受信レベルの状態も表示部５０に表示させることができ、作業者は光回線終端装置１における光信号の受信レベル及び光信号の受信レベルの状態を容易に確認することができる。
【００８４】
〔実施の形態６〕
次に、実施の形態６について説明する。この形態は、表示手段を複数回点滅させる場合に、最後の回の点滅を他の回の点滅とは異なる態様で点滅させる形態である。なお、実施の形態６の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００８５】
（処理）
次に、上述のように構成された実施の形態６に係る光回線終端装置１が実行する処理について説明する。この実施の形態６に係る光回線終端装置１が実行する表示処理のフローチャートは、特記する場合を除いて、図３に示す実施の形態１に係るフローチャートと略同一である。ここで、この表示処理におけるＳＡ１−ＳＡ２、ＳＡ５−ＳＡ７は、図３に示した実施の形態１の処理のＳＡ１−ＳＡ２、ＳＡ５−ＳＡ７と同じであるため、その説明を省略する。
【００８６】
ＳＡ２の処理後、検出部７１にて検出された光信号の受信レベルが所定の閾値以上であった場合（ＳＡ３、Ｙｅｓ）、出力制御部７２は、ＳＡ２で検出部７１にて検出された光信号の受信レベルに対応する情報を表示部５０に表示させる（ＳＡ４）。
【００８７】
図１０は、実施の形態６に係る表示部５０による表示パターンを例示した図である。この図１０に示すように、例えば、出力制御部７２が表示部５０を複数回点滅させる場合に、当該出力制御部７２は、検出部７１にて検出された光信号の受信レベルに応じた色で「ＯＰＴ」のＬＥＤ５３を点滅等させると共に、最後の回の点滅を他の回の点滅とは異なる態様で「ＯＰＴ」のＬＥＤ５３を点滅させる。ここで、「異なる態様」とは、異なる色（例えば、ＬＥＤ５３の点滅色を変えること）や、異なる場所（例えば、「ＰＷＲ」のＬＥＤ５１、「ＲＦ」のＬＥＤ５２、「ＯＰＴ」のＬＥＤ５３を切り替えること）等を意味する。以下では、異なる色とした場合について説明する。
【００８８】
具体的には、「ＯＰＴ」のＬＥＤ５３を複数回点滅させる場合に、当該複数の回のうちの最後の回の点滅を他の回と異なる色で「ＯＰＴ」のＬＥＤ５３を点滅させる。ただし、点滅回数が複数でない場合（１回である場合）には、「最後の回」が存在しないとし、最後の回の色を変えて点滅させることは行わないものとする。すなわち、図１０に示すように、光信号の受信レベルの状態が過小の場合において、受信レベルＳが−２１ｄＢｍ以上−２０ｄＢｍ未満の場合には「ＯＰＴ」のＬＥＤ５３を複数回点滅させないので、「ＯＰＴ」のＬＥＤ５３を所定周期にて１回点滅（橙）させた後、点灯（緑）させる。そして、受信レベルＳが−２１ｄＢｍ未満の場合には受信レベルＳが１ｄＢｍ下がる毎に点滅回数を１つずつ増やしながら、「ＯＰＴ」のＬＥＤ５３を所定周期にて所定回数点滅（橙）させると共に、この所定回数のうち最後の回のみ異なる色で点滅（赤）させ、さらにその後点灯（緑）させる（図１０では、光信号の受信レベルの状態が過小の場合の範囲に関しては、上述した受信レベルＳが−２１ｄＢｍ以上−２０ｄＢｍ未満の場合と、受信レベルＳが−２５ｄＢｍ以上−２４ｄＢｍ未満の場合のみについて、点滅パターンを例示し、他の場合については図示を省略する）。
【００８９】
また、光信号の受信レベルの状態が適正の場合において、受信レベルＳが−２ｄＢｍ以上−１ｄＢｍ未満の場合には「ＯＰＴ」のＬＥＤ５３を複数回点滅させないので、「ＯＰＴ」のＬＥＤ５３を所定周期にて１回点滅（緑）させた後、点灯（緑）させる。そして、受信レベルＳが−２０ｄＢｍ以上−２ｄＢｍ未満の場合には受信レベルＳが１ｄＢｍ下がる毎に点滅回数を１つずつ増やしながら、「ＯＰＴ」のＬＥＤ５３を所定周期にて所定回数点滅（緑）させると共に、この所定回数のうち最後の回のみ異なる色で点滅（赤）させ、さらにその後点灯（緑）させる（図１０では、光信号の受信レベルの状態が適正の場合の範囲に関しては、上述した受信レベルＳが−２ｄＢｍ以上−１ｄＢｍ未満の場合と、受信レベルＳが−６ｄＢｍ以上−５ｄＢｍ未満の場合と、受信レベルＳが−２０ｄＢｍ以上−１９ｄＢｍ未満の場合のみについて、点滅パターンを例示し、他の場合については図示を省略する）。なお、光信号の受信レベルの状態が過大の場合には、実施の形態５と同様の点滅等させるので、説明を省略する。
【００９０】
このように、表示部５０を複数回点滅させる場合に、最後の回の点滅を他の回の点滅とは異なる態様で表示部５０を点滅させることにより、作業者は表示部５０の点滅が最後の回であることを容易に確認することができる。
【００９１】
（効果）
このように実施の形態６によれば、表示部５０を複数回点滅させる場合に、最後の回の点滅を他の回の点滅とは異なる態様で表示部５０を点滅させるので、最後の回の点滅であることを表示部５０に識別可能に表示させることができ、作業者は表示部５０の点滅が最後の回であることを容易に確認することができる。
【００９２】
〔実施の形態７〕
次に、実施の形態７について説明する。この形態は、検出手段にて検出された光信号の受信レベルの状態に対応する情報を表示手段に表示させる前又は表示させた後に、光信号の受信レベルに対応する回数にて表示手段を点滅させる形態である。なお、実施の形態７の構成は、特記する場合を除いて、実施の形態２の構成と略同一であり、実施の形態２の構成と略同一の構成についてはこの実施の形態２で用いたものと同一の符号及び／又は名称を必要に応じて付して、その説明を省略する。
【００９３】
（処理）
次に、上述のように構成された実施の形態７に係る光回線終端装置１が実行する処理について説明する。図１１は、実施の形態７に係る光回線終端装置１が実行する表示処理の概略例を示したフローチャートである。ここで、この表示処理におけるＳＢ１−ＳＢ２、ＳＢ６は、図３に示した実施の形態１の処理のＳＡ１−ＳＡ２、ＳＡ７と同じであるため、その説明を省略する。
【００９４】
ＳＢ２の処理後、出力制御部７２は、ＳＢ２で検出部７１にて検出された光信号の受信レベルの状態に関する情報を表示部５０に表示させる（ＳＢ３）。ここで、「光信号の受信レベルの状態に関する情報」の表示においては、例えば、出力制御部７２は、受信レベルの状態が過小（例えば、受信レベルが−２０ｄＢｍ未満）である場合に表示部５０を橙で表示させ、受信レベルの状態が適正（例えば、受信レベルが−２０ｄＢｍ以上−１ｄＢｍ未満）である場合に表示部５０を緑で表示させ、受信レベルの状態が過大（例えば、受信レベルが−１ｄＢｍ以上）である場合に表示部５０を赤で表示させる。
【００９５】
次いで、出力制御部７２は、所定時間（例えば３ｓｅｃ）経過した後（ＳＢ４）、ＳＡ２で検出部７１にて検出された光信号の受信レベルに対応する情報を表示部５０に表示させる（ＳＢ５）。
【００９６】
図１２は、実施の形態７に係る表示部５０による表示パターンを例示した図である。ＳＢ５の処理において、図１２に示すように、例えば出力制御部７２は、検出部７１にて検出された光信号の受信レベルに対応する回数にて「ＯＰＴ」のＬＥＤ５３を点滅等させる。
【００９７】
具体的には、図１２に示すように、受信レベルＳが−２５ｄＢｍ以上−２４ｄＢｍ未満の場合には「ＯＰＴ」のＬＥＤ５３を所定周期にて５回点滅（緑）させた後、点灯（緑）させる。また、受信レベルＳが−６ｄＢｍ以上−５ｄＢｍ未満の場合には「ＯＰＴ」のＬＥＤ５３を所定周期にて５回点滅（緑）させた後、点灯（緑）させる。また、受信レベルＳが３ｄＢｍ以上４ｄＢｍ未満の場合には「ＯＰＴ」のＬＥＤ５３を所定周期にて５回点滅（緑）させた後、点灯（緑）させる。このように、検出部７１にて検出された光信号の受信レベルの状態に対応する情報を「ＯＰＴ」のＬＥＤ５３に表示させた後に、光信号の受信レベルに対応する回数にて「ＯＰＴ」のＬＥＤ５３を点滅させることにより、作業者は光回線終端装置１における光信号の受信レベル及び光信号の受信レベルの状態を容易に確認することができる。
【００９８】
なお、この光信号の受信レベルの状態に関する情報を表示するタイミングは、これに限られず、例えば、ＳＢ２で検出部７１にて検出された光信号の受信レベルに対応する回数にて表示部５０を点滅させ、所定時間経過後に、当該光信号の受信レベルの状態に関する情報を表示させてもよい。
【００９９】
（効果）
このように実施の形態７によれば、検出部７１にて検出された光信号の受信レベルの状態に対応する情報を表示部５０に表示させる前又は表示させた後に、光信号の受信レベルに対応する回数にて表示部５０を点滅させるので、光信号の受信レベルの状態を表示部５０に表示させる前又は表示させた後に、光信号の受信レベルを表示部５０に表示させることができ、作業者は光回線終端装置１における光信号の受信レベル及び光信号の受信レベルの状態を容易に確認することができる。
【０１００】
〔実施の形態に対する変形例〕
以上、本発明の実施の形態について説明したが、本発明の具体的な構成及び手段は、特許請求の範囲に記載した各発明の技術的思想の範囲内において、任意に改変及び改良することができる。以下、このような変形例について説明する。
【０１０１】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【０１０２】
（表示部について）
実施の形態１では、光信号の受信状態を示す「ＯＰＴ」のＬＥＤ５３を用いて光信号の受信レベルに対応する情報を表示させる場合を例として説明したが、光信号の受信レベルに対応する情報を表示させるための専用の表示部５０を別途設けてもよい。この場合、光信号の受信レベルに対応する情報を表示させるための専用の表示部５０として、例えば１個のＬＥＤを設けてもよく、２個以上のＬＥＤを設けてもよい。さらに、２個以上のＬＥＤを設ける場合には、複数色（例えば赤、緑、白等）のＬＥＤを設け、光信号の受信レベルに対応する色の組み合わせにて各ＬＥＤを点滅等させるようにしてもよい。
【０１０３】
（表示処理について）
各実施の形態において説明した光信号の受信レベルに対応する情報の表示は、任意の組み合わせで、相互に組み合わせることができる。例えば、実施の形態６と実施の形態７とにおける受信レベルに対応する情報の表示を組合わせてもよい。具体的には、出力制御部７２は、ＳＢ２で検出部７１にて検出された光信号の受信レベルの状態に関する情報を表示部５０に表示させ（ＳＢ３）、所定時間経過した後（ＳＢ４）、当該出力制御部７２が表示部５０を複数回点滅させる場合に、ＳＢ２で検出部７１にて検出された光信号の受信レベルに対応する情報を表示部５０に表示させると共に、最後の回の点滅を他の回の点滅とは異なる態様で当該ＬＥＤ５３を点滅させてもよい（例えば、受信レベルＳが−２５ｄＢｍ以上−２４ｄＢｍ未満の場合には、「ＯＰＴ」のＬＥＤ５３を１回点滅（橙）させ、所定時間経過後、「ＯＰＴ」のＬＥＤ５３を所定周期にて４回点滅（緑）させてから、１回点滅（赤）させ、さらにその後点灯（緑）させる）（ＳＢ５）。
【０１０４】
また、実施の形態１では、図３の表示処理において、検出部７１にて検出された光信号の受信レベルが所定の閾値未満であった場合（ＳＡ３、Ｎｏ）、光信号の受信レベルが所定の閾値未満である旨を示す情報を表示部５０に表示させ（ＳＡ５）、スピーカ６０から警報音を出力させた後（ＳＡ６）、ＳＡ１に戻ると説明したが、一度光信号の受信レベルが所定の閾値未満となった場合には、その後光信号の受信レベルが所定の閾値以上となったとしても、引き続き光信号の受信レベルが所定の閾値未満となった旨を示す情報を表示部５０に表示させ、スピーカ６０から警報音を出力させてもよい。これにより、光信号の受信に何らかの障害が発生した可能性がある旨を利用者に報知することができる。この場合、例えば光信号の受信レベルが所定の閾値未満となった旨を示す情報の表示や警報音の出力を解除すべき旨の指示入力が操作手段を介して受け付けられた場合に、当該情報の表示や警報音の出力を停止するようにしてもよい。
【０１０５】
また、実施の形態２では、図６に示す表示部５０による表示パターンは、これに限られず、例えば出力制御部７２は、検出部７１にて検出された光信号の受信レベルに応じた数の表示素子（ここでは、ＬＥＤ）を点滅等させてもよい。ここで、「光信号の受信レベルに応じた数」とは、光信号の受信レベル毎に設定された表示素子の数を意味する。例えば、「ＯＰＴ」のＬＥＤ５３の３回分の点滅は「ＲＦ」のＬＥＤ５２及び「ＯＰＴ」のＬＥＤ５３の１回分の同時点滅に相当し、「ＯＰＴ」のＬＥＤ５３の５回分の点滅は「ＰＷＲ」のＬＥＤ５１、「ＲＦ」のＬＥＤ５２、及び「ＯＰＴ」のＬＥＤ５３の１回分の同時点滅に相当する。具体的には、受信レベルＳが−８ｄＢｍ未満の場合には、実施の形態２と同様に、すべてのＬＥＤを消灯させる。また、受信レベルＳが−８ｄＢｍ以上−７ｄＢｍ未満の場合には、「ＰＷＲ」のＬＥＤ５１、「ＲＦ」のＬＥＤ５２、及び「ＯＰＴ」のＬＥＤ５３を所定周期にて同時に１回点滅した後に、「ＯＰＴ」のＬＥＤ５３を点滅し、さらにその後「ＯＰＴ」のＬＥＤ５３を点灯させる。また、受信レベルＳが−７ｄＢｍ以上−６ｄＢｍ未満の場合には「ＰＷＲ」のＬＥＤ５１、「ＲＦ」のＬＥＤ５２、及び「ＯＰＴ」のＬＥＤ５３を所定周期にて同時に１回点滅させた後、「ＯＰＴ」のＬＥＤ５３を点灯させる。また、受信レベルＳが−６ｄＢｍ以上−５ｄＢｍ未満の場合には「ＲＦ」のＬＥＤ５２、及び「ＯＰＴ」のＬＥＤ５３を所定周期にて同時に１回点滅させた後、「ＯＰＴ」のＬＥＤ５３を点滅し、さらにその後「ＯＰＴ」のＬＥＤ５３を点灯させる。また、受信レベルＳが−５ｄＢｍ以上−４ｄＢｍ未満の場合には「ＲＦ」のＬＥＤ５２及び「ＯＰＴ」のＬＥＤ５３を所定周期にて同時に１回点滅させた後、「ＯＰＴ」のＬＥＤ５３を点灯させる。また、受信レベルＳが−４ｄＢｍ以上−３ｄＢｍ未満の場合には「ＯＰＴ」のＬＥＤ５３を所定周期にて同時に２回点滅させた後、「ＯＰＴ」のＬＥＤ５３を点灯させる。また、受信レベルＳが−３ｄＢｍ以上−２ｄＢｍ未満の場合には「ＯＰＴ」のＬＥＤ５３を所定周期にて１回点滅させた後、「ＯＰＴ」のＬＥＤ５３を点灯させる。また、受信レベルＳが−２ｄＢｍ以上−１ｄＢｍ未満の場合には「ＯＰＴ」のＬＥＤ５３を点灯させる。また、受信レベルＳが−１ｄＢｍ以上の場合には、「ＯＰＴ」のＬＥＤ５３を上述の所定周期の倍の周期にて１２回点滅させた後、点灯させる。このように、検出部７１にて検出された光信号の受信レベルに応じた数の表示素子を点滅等させることにより、作業者は光回線終端装置１における光信号の受信レベルを一層容易に確認することができる。
【０１０６】
また実施の形態６では、図１０に示す表示部５０による表示パターンは、これに限られず、例えば出力制御部７２は、検出部７１にて検出された光信号の受信レベルに応じた回数にて「ＯＰＴ」のＬＥＤ５３を点滅等させると共に、最後の回の点滅を他の回の点滅とは異なる数の点滅素子（ここでは、ＬＥＤ）を点滅させてもよい。具体的には、受信レベルＳが−２５ｄＢｍ以上−２４ｄＢｍ未満の場合には「ＯＰＴ」のＬＥＤ５３を所定周期にて４回点滅させた後、「ＰＷＲ」のＬＥＤ５１、「ＲＦ」のＬＥＤ５２、及び「ＯＰＴ」のＬＥＤ５３を同時に１回点滅させてもよい。
【０１０７】
また実施の形態６では、図１０に示す表示部５０による表示パターンでは、「ＯＰＴ」のＬＥＤ５３を複数回点滅させる場合に、当該複数の回のうちの最後の回の点滅を他の回と異なる色で「ＯＰＴ」のＬＥＤ５３を点滅させると説明したが、これに限られない。例えば、光信号の受信レベルに応じた回数にて「ＯＰＴ」のＬＥＤ５３を点滅させた後、当該点滅が手前で終了したことを知らせるために、異なる色で「ＯＰＴ」のＬＥＤ５３を点滅させてもよい。具体的には、受信レベルＳが−２５ｄＢｍ以上−２４ｄＢｍ未満の場合には「ＯＰＴ」のＬＥＤ５３を所定周期にて５回点滅（橙）させた後、１回点滅（赤）させ、さらにその後点灯（緑）させる。
（付記）
付記１の光回線終端装置は、光送信機から光伝送路を介して送信された光信号を受信して電気信号に変換する光回線終端装置であって、表示手段と、前記光送信機から前記光伝送路を介して送信された前記光信号を電気信号に変換する光電変換手段と、前記光電変換手段にて変換された前記電気信号に基づいて、当該光回線終端装置における前記光信号の受信レベルを検出する検出手段と、前記検出手段にて検出された前記光信号の受信レベルに対応する情報を前記表示手段に表示させる制御手段と、を備える。
付記２の光回線終端装置は、付記１に記載の光回線終端装置において、前記表示手段は発光するものであり、前記制御手段は、前記検出手段にて検出された前記光信号の受信レベルに対応する回数にて前記表示手段を点滅させる。
付記３に記載の光回線終端装置は、付記２に記載の光回線終端装置において、前記制御手段は、前記検出手段にて検出された前記光信号の受信レベルに応じた色で前記表示手段を点滅させる。
付記４の光回線終端装置は、付記３に記載の光回線終端装置において、前記制御手段は、前記検出手段にて検出された前記光信号の受信レベルに基づいて重み付けされた色で前記表示手段を点滅させる。
付記５の光回線終端装置は、付記２から４のいずれか一項に記載の光回線終端装置において、前記表示手段は複数の表示素子を備え、前記制御手段は、前記検出手段にて検出された前記光信号の受信レベルに応じた数の前記表示素子を点滅させる。
付記６の光回線終端装置は、付記２から５のいずれか一項に記載の光回線終端装置において、前記制御手段は、前記検出手段にて検出された前記光信号の受信レベルの状態に応じた態様で前記表示手段を点滅させる。
付記７の光回線終端装置は、付記２から６のいずれか一項に記載の光回線終端装置において、前記制御手段が前記表示手段を複数回点滅させる場合に、当該制御手段は、最後の回の点滅を他の回の点滅とは異なる態様で点滅させる。
付記８の光回線終端装置は、付記２から７のいずれか一項に記載の光回線終端装置において、前記制御手段は、前記検出手段にて検出された前記光信号の受信レベルの状態に対応する情報を前記表示手段に表示させる前又は表示させた後に、前記光信号の受信レベルに対応する回数にて前記表示手段を点滅させる。
付記９の光回線終端装置は、付記１から８のいずれか一項に記載の光回線終端装置において、前記制御手段は、前記検出手段にて検出された前記光信号の受信レベルに対応する情報を前記表示手段に表示させるべきタイミングの場合、前記光信号の受信レベルに対応する情報を前記表示手段に表示させ、当該光回線終端装置の状態に関する情報を前記表示手段に表示させるべきタイミングの場合、当該光回線終端装置の状態に関する情報を当該表示手段に表示させる。
付記１０の光回線終端装置は、付記１から９のいずれか一項に記載の光回線終端装置において、前記制御手段は、前記検出手段にて検出された前記光信号の受信レベルが所定の閾値未満である場合に、当該光信号の受信レベルが所定の閾値未満である旨を示す情報を前記表示手段に表示させる。
付記１１の光回線終端装置は、付記１から１０のいずれか一項に記載の光回線終端装置において、警報音を出力する警報手段を備え、前記制御手段は、前記検出手段にて検出された前記光信号の受信レベルが所定の閾値未満である場合に、前記警報手段から警報音を出力させる。
（付記の効果）
付記１に記載の光回線終端装置によれば、検出手段にて検出された光信号の受信レベルに対応する情報を表示手段に表示させるので、作業者は別途光パワーメータ等を用意することなく、光回線終端装置自体の表示手段を介して容易に光回線終端装置における光信号の受信レベルを確認することができ、光回線終端装置の設置作業を一層簡易にすることができる。また、光回線終端装置の設置後、メンテナンス等のために光信号のレベルを確認する際にも、光伝送路から光回線終端装置を取り外すことなく、光回線終端装置自体の表示手段を介して容易に光回線終端装置における光信号の受信レベルを確認することができ、作業コストを一層低減することができる。
付記２に記載の光回線終端装置によれば、検出手段にて検出された光信号の受信レベルに対応する回数にて表示手段を点滅させるので、簡易な方法で光信号の様々な受信レベルを表示手段に表示させることができる。また、作業者にとっても、表示手段の点滅回数を確認するだけで光信号の受信レベルを容易に確認することができる。
付記３に記載の光回線終端装置によれば、検出手段にて検出された光信号の受信レベルに応じた色で光信号の受信レベルに対応する表示手段を点滅等させるので、光信号の受信レベルを簡易かつ正確に表示させることができ、作業者は光回線終端装置における光信号の受信レベルを一層容易に確認することができる。
付記４に記載の光回線終端装置によれば、検出手段にて検出された光信号の受信レベルに基づいて重み付けされた色で表示手段を点滅等させるので、光信号の受信レベルを一層簡易かつ正確に表示させることができ、作業者は光回線終端装置における光信号の受信レベルをさらに一層容易に確認することができる。
付記５に記載の光回線終端装置によれば、検出手段にて検出された光信号の受信レベルに応じた数の表示素子を点滅等させるので、光信号の受信レベルを簡易かつ正確に表示させることができ、作業者は光回線終端装置における光信号の受信レベルを一層容易に確認することができる。
付記６に記載の光回線終端装置によれば、検出手段にて検出された光信号の受信レベルの状態に応じた態様で表示手段を点滅等させるので、光信号の受信レベルと同時に、光信号の受信レベルの状態も表示手段に表示させることができ、作業者は光回線終端装置における光信号の受信レベル及び光信号の受信レベルの状態を容易に確認することができる。
付記７に記載の光回線終端装置によれば、表示手段を複数回点滅させる場合に、最後の回の点滅を他の回の点滅とは異なる態様で表示手段を点滅させるので、最後の回の点滅であることを表示手段に識別可能に表示させることができ、作業者は表示手段の点滅が最後の回であることを容易に確認することができる。
付記８に記載の光回線終端装置によれば、検出手段にて検出された光信号の受信レベルの状態に対応する情報を表示手段に表示させる前又は表示させた後に、光信号の受信レベルに対応する回数にて表示手段を点滅させるので、光信号の受信レベルの状態を表示手段に表示させる前又は表示させた後に、光信号の受信レベルを表示手段に表示させることができ、作業者は光回線終端装置における光信号の受信レベル及び光信号の受信レベルの状態を容易に確認することができる。
付記９に記載の光回線終端装置によれば、検出手段にて検出された光信号の受信レベルに対応する情報を表示手段に表示させるべきタイミングの場合、光信号の受信レベルに対応する情報を表示手段に表示させ、光回線終端装置の状態に関する情報を表示手段に表示させるべきタイミングの場合、光回線終端装置の状態に関する情報を表示手段に表示させるので、光信号の受信レベルに対応する情報、及び光回線終端装置の状態に関する情報を、タイミングに応じて共通の表示手段に表示させることができる。従って、光信号の受信レベルに対応する情報を表示するための表示手段を別途設ける必要がなく、光回線終端装置の構成の複雑化を防止できる。
付記１０に記載の光回線終端装置によれば、検出手段にて検出された光信号の受信レベルが所定の閾値未満である場合に、当該光信号の受信レベルが所定の閾値未満である旨を示す情報を表示手段に表示させるので、上述の効果に加えて、例えば光信号がＴＶ信号を含む場合において、ＴＶ信号に基づきＴＶ受像機に映像を表示可能な最小受信レベルに光信号の受信レベルが達していない旨等を利用者に報知することができる。
付記１１に記載の光回線終端装置によれば、検出手段にて検出された光信号の受信レベルが所定の閾値未満である場合に、警報手段から警報音を出力させるので、上述の効果に加えて、例えば光信号がＴＶ信号を含む場合において、ＴＶ信号に基づきＴＶ受像機に映像を表示可能な最小受信レベルに光信号の受信レベルが達していない旨等を利用者に報知することができる。
【符号の説明】
【０１０８】
１  光回線終端装置
１０  筐体
１１  ベース部
１２  カバー部
１３  引き込み口
１４  端子孔
２０  ＰＤ
３０  増幅部
４０  出力端子
５０  表示部
５１、５２、５３  ＬＥＤ
６０  スピーカ
７０  制御部
７１  検出部
７２  出力制御部
【図１】
0005771424.tif 000002
【図２】
0005771424.tif 000003
【図３】
0005771424.tif 000004
【図４】
0005771424.tif 000005
【図５】
0005771424.tif 000006
【図６】
0005771424.tif 000007
【図７】
0005771424.tif 000008
【図８】
0005771424.tif 000009
【図９】
0005771424.tif 000010
【図１０】
0005771424.tif 000011
【図１１】
0005771424.tif 000012
【図１２】
0005771424.tif 000013